(57)【要約】      （修正有）【課題】停電などが生じた際に蓄電部の電力による点灯時間を可及的に長くすることができるＬＥＤ照明器具を提供する。【解決手段】複数のＬＥＤ８及び、外部の商用電源から電力が供給されている状態で充電される蓄電部を備え、複数のＬＥＤ８を直列に接続すると共に、停電時に蓄電部の電力でＬＥＤ８を発光させ、蓄電部の出力電圧の低下に伴ってそれら複数のＬＥＤ８の一部を短絡させて消灯させ、残りのＬＥＤ８のみを発光させる。【選択図】図４
2014220064.tif 000002
【特許請求の範囲】
【請求項１】
外部の商用電源から供給される電力によりＬＥＤを発光させるＬＥＤ照明器具であって、この商用電源からの電力により充電させる蓄電部を有し、停電時にはこの蓄電部に蓄電された電力によってＬＥＤの発光を継続させるものにおいて、複数のＬＥＤを直列に接続すると共に、蓄電部の電力でＬＥＤを発光させる際に、蓄電部の出力電圧の低下に伴ってそれら複数のＬＥＤの一部を短絡させて消灯させ、残りのＬＥＤのみを発光させる減灯回路を備えたことを特徴とするＬＥＤ照明器具。
【請求項２】
上記蓄電部は、電気二重層コンデンサであることを特徴とする請求項１に記載のＬＥＤ照明器具。
【発明の詳細な説明】
【技術分野】
【０００１】
本発明は、通常時は外部の商用電源から電力の供給を受けてＬＥＤを発光させ、停電時には内蔵した蓄電部からの電力によりＬＥＤの発光を継続するＬＥＤ照明器具に関する。
【背景技術】
【０００２】
室内の天井などに設置される照明器具は長時間点灯し続けるような使用がされるので、発光のための電力は外部の商用電源から供給される電力を用いている。そのため、停電などにより外部からの電力の供給が停止すると、電力供給の停止と同時に消灯してしまう。ところが、停電が夜間や窓の無い室内で発生すると、真っ暗になり回りを視認することができなくなる。
【０００３】
そこで、内部に蓄電部を備え、外部から電力の供給を受けている状態でその蓄電部に蓄電し、点灯中に停電などにより外部からの電力の供給が停止すると、自動的に蓄電部に蓄電された電力によって照明を継続するようにしたものが知られている（例えば、特許文献１参照）。
【先行技術文献】
【特許文献】
【０００４】
【特許文献１】特開２０１２−２８２９２号公報（請求項３、段落０００５）
【発明の概要】
【発明が解決しようとする課題】
【０００５】
上記従来の特許文献１に記載されたのものでは、発光源として白熱電球や蛍光灯のほかＬＥＤを提示しているが、これらの発光源の中で一番消費電力が少ないＬＥＤであっても、蓄電部に蓄電されている電力が有限であるので、外部電源からの電力によって点灯していた状態をそのまま継続したのでは蓄電部に蓄電されている電力が急速に消費され、短時間しか点灯を継続できないという不具合が生じる。
【０００６】
そこで本発明は、上記の問題点に鑑み、停電などが生じた際に蓄電部の電力による点灯時間を可及的に長くすることができるＬＥＤ照明器具を提供することを課題とする。
【課題を解決するための手段】
【０００７】
上記課題を解決するために本発明によるＬＥＤ照明器具は、外部の商用電源から供給される電力によりＬＥＤを発光させるＬＥＤ照明器具であって、この商用電源からの電力により充電させる蓄電部を有し、停電時にはこの蓄電部に蓄電された電力によってＬＥＤの発光を継続させるものにおいて、複数のＬＥＤを直列に接続すると共に、蓄電部の電力でＬＥＤを発光させる際に、蓄電部の出力電圧の低下に伴ってそれら複数のＬＥＤの一部を短絡させて消灯させ、残りのＬＥＤのみを発光させる減灯回路を備えたことを特徴とする。
【０００８】
停電などにより外部からの電力の供給が停止した時点では蓄電部には十分無い電力が蓄電されている。その状態では全てのＬＥＤを点灯させて明るさを確保するが、電力の消費に伴って蓄電部の出力電圧が低下する。電圧がある程度まで低下すると全ＬＥＤが同時に消灯してしまうので、一部のＬＥＤを消灯させ、点灯するＬＥＤの個数を減少させることにした。これにより消費電力が減少するので、全ＬＥＤが点灯する場合より長時間点灯を継続することができる。また、点灯しているＬＥＤの個数を徐々に減少させれば、目が慣れてくるので、一気に消灯する場合より視認性を確保することができる。
【０００９】
なお、上記構成は、上記蓄電部が電気二重層コンデンサである場合に特に有効である。
【発明の効果】
【００１０】
以上の説明から明らかなように、本発明は、蓄電部に蓄電された電力によってＬＥＤの点灯を継続する際に,蓄電部の出力電圧の低下に伴って点灯するＬＥＤの個数を減少させるので、照度は低下するものの、ＬＥＤが点灯している時間を可及的に延ばすことができる。
【図面の簡単な説明】
【００１１】
【図１】天井に埋設されたＬＥＤ照明器具の状態を示す図
【図２】ＬＥＤ照明器具全体の形状を示す斜視図
【図３】ＬＥＤ照明器具の分解斜視図
【図４】停電時に作動する回路部のブロック図
【発明を実施するための形態】
【００１２】
図１を参照して、１は本発明によるＬＥＤ照明器具（以下、器具という）である。この器具１は浴室の天井ＣＬに埋設されており、浴室内に臨む照明板２には複数のＬＥＤ（発光ダイオード）が取り付けられている。そして、各ＬＥＤから発せられる光によって浴室内を照明する。
【００１３】
図２を参照して、器具１の本体ケース１１の上面には端子板１２が取り付けられており、この端子板１２に外部の商用電源からの電力を供給する電灯線１３が接続されている。
【００１４】
図３を参照して、端子板１２の下方であって本体ケース１１内には電源部３が収納されている。この電源部３は外部の商用電源から供給される１００ボルトの電力を降圧してＬＥＤに供給すると共に、ＬＥＤの点灯を制御するマイコンを備えており、かつそのマイコンを駆動するための電力も生成している。
【００１５】
図示しない外部の照明スイッチがオンにされると電灯線１３を介して外部の商用電源から電力が供給され、照明板２の下面に実装されているＬＥＤが点灯する。この照明スイッチがオンになっている状態で停電などにより外部からの電力の供給が停止した場合、ＬＥＤが消灯すると、特に夜間での入浴中であれば浴室から脱衣室に出て着衣することが困難になる。
【００１６】
そこで、本発明では器具１内に蓄電部を設け、停電等が生じた場合には蓄電部が蓄電している電力で所定時間点灯を継続するようにした。本実施の形態では、蓄電部として電気二重層コンデンサを用いたものを説明する。
【００１７】
図４は通常の通電時に電気二重層コンデンサ４に蓄電された電力によって停電時等にＬＥＤ８を点灯させる非常時の回路を示している。従って、外部の商用電源からの電力によってＬＥＤ８を点灯させる通常の点灯回路は省略している。
【００１８】
図示しない停電検知回路が停電である旨を検知すると、マイコン５は点灯用の電源を外部電源から電気二重層コンデンサ４に切り替える。図示のように、複数のＬＥＤ８が直列に接続されているので、ＬＥＤ８の直列回路の両端にはＬＥＤ１個の点灯電圧を個数倍した電圧を印加する必要がある。そこで、電気二重層コンデンサ４の電圧を昇圧コンバータ６で昇圧してＬＥＤ８に供給するようにした。そして、昇圧コンバータ６で昇圧された高電圧から降圧コンバータ７によってマイコン５の作動電力を生成するようにした。このように昇圧コンバータ６で一旦電圧を上げた後、その電圧を降圧コンバータ７で降圧することによって、電気二重層コンデンサ４の蓄電する電荷がほとんどゼロになるまでマイコン５を作動させ続けることができる。
【００１９】
マイコン５は電圧検知回路４１によって電気二重層コンデンサ４の電圧を常時監視している。蓄電されている電力が徐々に減少していくと電気二重層コンデンサ４の両端電圧が低下するので、マイコン５は電気二重層コンデンサ４に蓄電されている電力の残量をモニタすることができる。
【００２０】
電気二重層コンデンサ４の蓄電量が十分にある状態では全てのＬＥＤ８を点灯させるが、外部電力によって点灯させる場合より照度を落として電気二重層コンデンサ４の蓄電量の減少速度を抑えるようにした。具体的には、外部電源からの電力で発光させる場合にはＬＥＤ８の電流が３００ｍＡであるとすると、停電時等には５０ｍＡまで減少させるようにした。この電流の減少はＬＥＤ８に直列に接続されているトランジスタ５１によって行うもので、トランジスタ５１の動作はマイコン５によって制御される。
【００２１】
電気二重コンデンサ４の蓄電量が減少してくると全てのＬＥＤ８を点灯させ続けられない状態になる。そのまま放置すると全ＬＥＤ８が同時に消灯するので、電気二重層コンデンサ４の両端電圧が予め設定されている第１基準電圧まで低下すると、マイコン５はトランジスタ９１をオンにすることにより一部(本実施の形態では２個)のＬＥＤ８を短絡させ消灯し、残りのＬＥＤ８を点灯させることにより消費電力を抑制するようにした。
【００２２】
その状態でさらに電気二重層コンデンサ４の両端電圧が第２基準電圧まで低下すると、トランジスタ９２をオンにすることにより消灯するＬＥＤ８を増やし、すなわち点灯するＬＥＤ８の個数を減らして消費電力をさらに削減することとした。そしてさらに両端電圧が第３基準電圧まで低下すると、トランジスタ９３をＯＮにさせて最終的に１個のＬＥＤ８のみを点灯させるようにした。
【００２３】
このように、停電のように外部からの電力供給が停止した場合、ＬＥＤ８の電流を抑制すると共に、段階的に点灯するＬＥＤ８の個数を減少させることによって、たとえ少しの照度であっても長時間ＬＥＤ８が点灯し続けられるようにした。
【００２４】
なお、上記実施の形態では、器具１を浴室に取り付けた場合について説明したが、設置場所は浴室に限定させるものではなく、例えばビルの廊下等、他所に設置してもよいことは明白である。
【００２５】
このように、本発明は上記した形態に限定されるものではなく、本発明の要旨を逸脱しない範囲内において種々の変更を加えてもかまわない。
【符号の説明】
【００２６】
１  ＬＥＤ照明器具
２  照明板
３  電源部
４  電気二重層コンデンサ
８  ＬＥＤ
【図１】
2014220064.tif 000003
【図２】
2014220064.tif 000004
【図３】
2014220064.tif 000005
【図４】
2014220064.tif 000006